(57)【特許請求の範囲】
【請求項１】
バッテリパックの内部にある二次電池からの漏液状況を感知して出力する漏液感知手段と、
前記漏液感知手段から漏液の状況を伝えられて外部に表示する漏液表示手段と、
前記漏液感知手段から漏液の状況を伝えられて前記二次電池が装着される携帯用機器本体に伝える漏液報知手段と、
を備え、
前記漏液感知手段は、前記バッテリパックの内部の底面全体にわたって設置されている漏液感知線からなり、前記漏液感知線は、導電性ガラスマット或いは導電体を利用したプリント配線器板を使用して、前記バッテリパックの内部の底面に薄膜状に貼り付けられている二次電池の漏液感知装置。
【請求項２】
前記漏液感知手段は、前記バッテリパックの内部の底面全体にわたって設置されている漏液感知線からなり、前記漏液表示手段に接続して設置されている側の第１の漏液感知線と、前記漏液報知手段に接続して設置されている側の第２の漏液感知線とは相互接続されていない請求項１に記載の二次電池の漏液感知装置。
【請求項３】
第１の漏液感知線において突出状に形成されている複数の感知線と、第２の漏液感知線において突出状に形成されている複数の感知線とが相互に噛み合って構成されている請求項２に記載の二次電池の漏液感知装置。
【請求項４】
前記第１の漏液感知線と前記第２の漏液感知線は、二次電池から漏液が発生した場合、 通電して電流が流れるように構成されている請求項２に記載の二次電池の漏液感知装置。
【請求項５】
前記漏液報知手段は、一側端子が前記漏液感知手段の前記第２の漏液感知線側に接続されると共に、他側端子が電源に接続され、前記漏液感知手段の漏液感知線により電流が流れると一定の電圧を維持する抵抗と、非反転端子が前記抵抗の一側端子に接続され、
反転端子が基準電圧に接続され非反転端子に入力される電圧から反転端子に入力される電圧を減算して増幅し、この増幅した電圧を携帯用機器の本体に出力する演算増幅器を備えた請求項４に記載の二次電池の漏液感知装置。 
【請求項６】
前記演算増幅器は、前記バッテリパックに設置されているか、 前記携帯用機器の本体に設置されている請求項５に記載の二次電池の漏液感知装置。
【発明の詳細な説明】
【０００１】
【発明の属する技術分野】
本発明は、二次電池の漏液感知装置に関するものであり、より詳しくは、二次電池が収納されているバッテリパック内部の漏液の有無を感知して表示する二次電池の漏液感知装置に関するものである。
【０００２】
【従来の技術】
一般的に、携帯用機器は一次電池（充電出来ない電池）、又は二次電池（充電出来る電池）を電源に使用している。この二次電池はバッテリパック内部に収納されているので外部から保護される。
そして、このバッテリパックは携帯用機器の本体に装着され、内部に収納されている二次電池の電源を携帯用機器の本体に安全に伝えるように固定させてある。しかしながら、前記従来の技術はバッテリパック内部に入れている二次電池の漏液状態を外部からは感知できず、バッテリパックを開けて見ることによって初めて確認できる。従って、漏液に気がつかないでいると二次電池の漏液により二次電池及びバッテリパック、更に携帯用機器まで損傷される可能性がある。
もし、二次電池の漏液状況が初期に発見されれば、二次電池及びバッテリパック、そして携帯用機器の損傷を防止することが出来るが、バッテリパック内部の漏液状況を外部から感知出来ないので、このような損傷を防止することが出来ないという問題点がある。
【０００３】
【発明が解決しようとする課題】
本発明の目的は、前記従来の問題点を解決するためになされたものであり、二次電池が収納されているバッテリパック内部の漏液の有無を感知して外部に表示し、又、携帯用機器の本体に伝えることにより二次電池及びバッテリパックそして携帯用機器の損傷を防止する二次電池の漏液感知装置を提供することである。
【０００４】
【課題を解決するための手段】
上記目的を達成するための本発明に係る漏液感知装置の特徴構成は、
バッテリパックの内部にある二次電池からの漏液状況を感知して出力する漏液感知手段と、
前記漏液感知手段から漏液の状況を伝えられて外部に表示する漏液表示手段と、前記漏液感知手段から漏液の状況を伝えられて前記二次電池が装着される携帯用機器本体に伝える漏液報知手段とを備えている。
【０００５】
本発明のその他の特徴と利点は以下の図面を用いた実施形態の説明から明らかにされるだろう。
【０００６】
【発明の実施の形態】
本発明に属する技術分野の通常の知識を有する者が、この発明を容易に実施出来るよう、望ましい実施形態を添付した図面を参照して詳細に説明する。
【０００７】
図１及び図２に示したように、本発明の実施形態による二次電池漏液感知装置の構成は、
バッテリパック１０内部の底面に設置され、二次電池から漏液が発生すると、電流を通じて漏液状態を出力する漏液感知部２０と、アノード端子が電源Ｖｂに接続され、カソード端子が前記漏液感知部２０の一端子に接続され、前記漏液感知部２０により電流が通じると外部から感知出来るように光を発する漏液表示部としての発光素子(LED)と、前記漏液感知部２０により電流が通じると携帯用機器に漏液状態を伝える漏液報知部３０を含む。
【０００８】
本実施形態による前記漏液報知部３０は、一側端子が前記漏液感知部２０の他の側に接続され、他側が電源Ｖｂに接続され前記漏液感知部２０により電流が通じると、一定の電圧Ｖｂを維持する抵抗Ｒ1と非反転端子が前記抵抗Ｒ１の一側端子に接続され、反転端子が基準電圧Ｖrefに接続され、非反転端子と反転端子に印加される電圧の差を増幅して、携帯用機器の本体に出力する演算増幅器ＯＰ１を含む。
ここで前記漏液感知部２０の演算増幅器ＯＰ１は、前記バッテリパック１０に設置されていたり、携帯用機器の本体に設置されていたりいる。
【０００９】
前記漏液感知部２０は、バッテリパック１０内部の底面全体にわたって設置されている漏液感知線２２、２４からなり、前記発光素子(LED)に接続されている一側端子の第１の漏液感知線２２と、前記漏液報知部３０の抵抗Ｒ1に接続して設置された他側端子の第２の漏液感知線２４とは相互に接続されていないことを特徴とする。
ここで前記漏液感知線２２、２４は、漏液により通電して電流を流す導電性ガラスマット(GALSS MAT)又は、導電体を利用したプリント配線基板(PBC:PRINTED CIRCUIT BOARD)を使用してバッテリパック１０内部底面に薄膜状に形成することを特徴とする。
【００１０】
前記構成による、本発明の実施形態に従う二次電池の漏液感知装置の作用は次の通りである。
バッテリパック１０内にある二次電池（図示されない）から漏液が生じないと前記漏液感知部２０の漏液感知線２２、２４が相互離れているので電流が流れない。
従って前記発光素子(LED)は光を発しないので漏液が生じていないことを外部に表わす。又、前記漏液報知部３０の演算増幅器ＯＰ１も漏液が生じていないことを表わす電圧を携帯用機器の本体に出力することになる。
もし、二次電池から漏液が生じてバッテリパック１０の底面に流れると、この漏液により前記漏液感知部２０の漏液感知線２２、２４が通電する。
このように、前記漏液感知部２０が通電して電流を流すと前記発光素子(LED)が光を発してバッテリパック１０内の二次電池から漏液が生じていることが外部で分かるようになる。
この時、外部に漏液発生を表わすものは発光素子(LED)だけではなく、スピーカ等の警告装置等も使用出来る。
又、このような電流の流れにより、前記抵抗Ｒ1は一定電圧Ｖｏを維持し、この電圧Ｖｏが前記演算増幅器ＯＰ１の非反転端子に入力される。
【００１１】
前記演算増幅器ＯＰ１は非反転端子に入力される電圧Ｖｏで、反転端子に入力される基準電圧Ｖrefを減らして増幅し、この増幅した電圧Ｖoutを携帯用機器の本体に報知して漏液発生を知らせる。
【００１２】
【発明の効果】
以上のように、本発明の実施形態により、二次電池が収納されているバッテリパック１０内部の漏液の有無を感知して外部に表示し、又、携帯用機器の本体に知らせることにより二次電池及びバッテリパック１０、そして携帯用機器の損傷を防止する二次電池の漏液感知装置を提供することができた。
【図面の簡単な説明】
【図１】本発明の実施形態による二次電池の漏液感知装置のブロック図
【図２】本発明の実施形態による二次電池の漏液感知装置がバッテリパック内に装着されたものを図示した図
【符号の説明】
１０        バッテリパック
２０        漏液感知部
２２、２４  漏液感知線
３０        漏液報知部
【図１】
0003973737.tif 000002
【図２】
0003973737.tif 000003